(57)【要約】【課題】印刷用画像の表示においてユーザビリティが低下する。【解決手段】印刷用画像を受け付け、注文受付情報を生成する受付手順と、印刷用画像および注文受付情報を注文格納部に格納する注文格納手順と、外部記憶媒体の印刷用画像を読み込む読込手順と、印刷用画像選択領域およびサムネイル表示領域を表示する入出力画面を画面格納部に格納する画面格納手順と、注文格納部の印刷用画像のサムネイルの表示時は、印刷用画像選択領域に注文受付情報を一覧表示し、印刷用画像のサムネイルをサムネイル表示領域に表示する一方、外部記憶媒体の印刷用画像のサムネイルを表示時は、印刷用画像選択領域にツリービューにおける一のフォルダとして外部記憶媒体を示すフォルダを表示し、印刷用画像のサムネイルをサムネイル表示領域に表示する入出力手順とを備える。【選択図】図２
2008210149.tif 000002
【特許請求の範囲】
【請求項１】
印刷装置で印刷する印刷用画像の入力を受け付けることにより、前記印刷装置による前記印刷用画像の印刷の注文が受け付けられた旨を示す注文受付情報を生成する注文受付手順と、
前記印刷用画像を前記注文受付情報に対応付けて注文格納部に格納する注文格納手順と、
外部記憶媒体に記憶された印刷用画像を読み込む読込手順と、
印刷用画像の選択を受け付ける印刷用画像選択領域、および、前記印刷用画像選択領域で選択された印刷用画像のサムネイルを表示するサムネイル表示領域を並べて表示する入出力画面を画面格納部に格納する画面格納手順と、
前記注文格納部に格納された印刷用画像のサムネイルを表示させる場合は、前記入出力画面の印刷用画像選択領域に前記注文格納部に格納された注文受付情報を一覧表示し、一覧表示された注文受付情報から一の注文受付情報の選択を受け付けて、前記注文受付情報に対応付けて前記注文格納部に格納された印刷用画像のサムネイルを前記受付画面のサムネイル表示領域に表示する一方、前記外部記憶媒体に記憶された印刷用画像のサムネイルを表示させる場合は、前記入出力画面の印刷用画像選択領域にツリービューにおける一のフォルダとして前記読込手順により読み込まれた外部記憶媒体を示すフォルダを表示し、前記ツリービューから前記外部記憶媒体を示すフォルダの選択を受け付けて、前記外部記憶媒体に記憶された印刷用画像のサムネイルを受付画面のサムネイル表示領域に表示する入出力手順と
を備える印刷用画像表示方法。
【請求項２】
印刷用画像を印刷させる旨の入力を受け付けて、印刷装置に前記印刷用画像を出力する印刷指示受付手順をさらに備え、
前記注文格納手順は、印刷用画像が印刷されたか否かを示す印刷有無情報をさらに注文格納部に格納し、前記印刷指示受付手順により印刷装置に印刷用画像が出力された場合に、前記印刷用画像に対応付けて印刷がされた旨を示す印刷有無情報を注文格納部に格納し、
前記入出力手順は、印刷がされていない印刷用画像のサムネイルを表示させる場合は、前記入出力画面の印刷用画像選択領域に印刷がされていない旨を示す印刷有無情報に対応付けて前記注文格納部に格納された注文受付情報を一覧表示する一方、印刷がされた印刷用画像のサムネイルを表示させる場合には、前記入出力画面の印刷用画像選択領域に印刷がされた旨を示す印刷有無情報に対応付けて前記注文格納部に格納された注文受付情報を一覧表示する請求項１に記載の印刷用画像表示方法。
【請求項３】
印刷装置で印刷する印刷用画像の入力を受け付けることにより、前記印刷装置による前記印刷用画像の印刷の注文が受け付けられた旨を示す注文受付情報を生成する注文受付手順と、
印刷用画像を印刷させる旨の入力を受け付けて、印刷装置に前記印刷用画像を出力する印刷指示受付手順と、
前記受付手順により入力が受け付けられた印刷用画像に対応付けて、前記注文受付情報、および、印刷用画像が印刷されたか否かを示す印刷有無情報を注文格納部に格納し、前記印刷指示受付手順により印刷装置に印刷用画像が出力された場合に、前記印刷用画像に対応付けて印刷がされた旨を示す印刷有無情報を注文格納部に格納する注文格納手順と、
印刷用画像の選択を受け付ける印刷用画像選択領域、および、前記印刷用画像選択領域で選択された印刷用画像のサムネイルを表示するサムネイル表示領域を並べて表示する入出力画面を画面格納部に格納する画面格納手順と、
印刷がされていない印刷用画像のサムネイルを表示させる場合は、前記入出力画面の印刷用画像選択領域に印刷がされていない旨を示す印刷有無情報に対応付けて前記注文格納部に格納された注文受付情報を一覧表示し、一覧表示された注文受付情報から一の注文受付情報の選択を受け付けて、前記注文受付情報に対応付けて前記注文格納部に格納された印刷用画像のサムネイルを前記受付画面のサムネイル表示領域に表示する一方、印刷がされた印刷用画像のサムネイルを表示させる場合には、前記入出力画面の印刷用画像選択領域に印刷がされた旨を示す印刷有無情報に対応付けて前記注文格納部に格納された注文受付情報を一覧表示し、一覧表示された注文受付情報から一の注文受付情報の選択を受け付けて、前記注文受付情報に対応付けて前記注文格納部に格納された印刷用画像のサムネイルを前記受付画面のサムネイル表示領域に表示する入出力手順と
を備える印刷用画像表示方法。
【請求項４】
印刷装置で印刷する印刷用画像の入力を受け付けることにより、前記印刷装置による前記印刷用画像の印刷の注文が受け付けられた旨を示す注文受付情報を生成する受付端末から前記印刷用画像を取得する印刷用画像表示装置であって、
前記印刷用画像を前記注文受付情報に対応付けて格納する注文格納部と、
外部記憶媒体に記憶された印刷用画像を読み込む読込部と、
印刷用画像の選択を受け付ける印刷用画像選択領域、および、前記印刷用画像選択領域で選択された印刷用画像のサムネイルを表示するサムネイル表示領域を並べて表示する入出力画面を格納する画面格納部と、
前記注文格納部に格納された印刷用画像のサムネイルを表示させる場合は、前記入出力画面の印刷用画像選択領域に前記注文格納部に格納された注文受付情報を一覧表示し、一覧表示された注文受付情報から一の注文受付情報の選択を受け付けて、前記注文受付情報に対応付けて前記注文格納部に格納された印刷用画像のサムネイルを前記受付画面のサムネイル表示領域に表示する一方、前記外部記憶媒体に記憶された印刷用画像のサムネイルを表示させる場合は、前記入出力画面の印刷用画像選択領域にツリービューにおける一のフォルダとして前記読込部により読み込まれた外部記憶媒体を示すフォルダを表示し、前記ツリービューから前記外部記憶媒体を示すフォルダの選択を受け付けて、前記外部記憶媒体に記憶された印刷用画像のサムネイルを受付画面のサムネイル表示領域に表示する入出力部と
を備える印刷用画像表示装置。
【請求項５】
印刷装置で印刷する印刷用画像の入力を受け付けることにより、前記印刷装置による前記印刷用画像の印刷の注文が受け付けられた旨を示す注文受付情報を生成する受付端末から前記印刷用画像を取得する印刷用画像表示装置を制御するプログラムであって、前記印刷用画像表示装置に、
前記印刷用画像を前記注文受付情報に対応付けて注文格納部に格納する注文格納手順、
外部記憶媒体に記憶された印刷用画像を読み込む読込手順、
印刷用画像の選択を受け付ける印刷用画像選択領域、および、前記印刷用画像選択領域で選択された印刷用画像のサムネイルを表示するサムネイル表示領域を並べて表示する入出力画面を画面格納部に格納する画面格納手順、および、
前記注文格納部に格納された印刷用画像のサムネイルを表示させる場合は、前記入出力画面の印刷用画像選択領域に前記注文格納部に格納された注文受付情報を一覧表示し、一覧表示された注文受付情報から一の注文受付情報の選択を受け付けて、前記注文受付情報に対応付けて前記注文格納部に格納された印刷用画像のサムネイルを前記受付画面のサムネイル表示領域に表示する一方、前記外部記憶媒体に記憶された印刷用画像のサムネイルを表示させる場合は、前記入出力画面の印刷用画像選択領域にツリービューにおける一のフォルダとして前記読込手順により読み込まれた外部記憶媒体を示すフォルダを表示し、前記ツリービューから前記外部記憶媒体を示すフォルダの選択を受け付けて、前記外部記憶媒体に記憶された印刷用画像のサムネイルを受付画面のサムネイル表示領域に表示する入出力手順
を実行させるプログラム。
【発明の詳細な説明】
【技術分野】
【０００１】
本発明は、印刷用画像表示方法、印刷用画像表示装置およびプログラムに関する。特に、本発明は、印刷用画像のサムネイルを表示する印刷用画像表示方法、印刷用画像表示装置およびプログラムに関する。
【背景技術】
【０００２】
画像データを用いてディスプレイ画面上の媒体画像表示領域に記憶媒体の画像をサムネイル表示する媒体画像表示処理と、媒体画像表示領域と並列して設けた注文画像表示領域に、媒体画像表示領域から選択したプリント注文用の画像をサムネイル表示する注文画像表示処理とをコンピュータに実行させることを特徴とするプリント注文プログラムが知られている（例えば、特許文献１参照。）。
【特許文献１】特開２００６−１３９５０５号公報
【発明の開示】
【発明が解決しようとする課題】
【０００３】
しかしながら、特許文献１に記載のプリント注文プログラムは、記憶媒体の画像に加え、ローカルディスク内の画像データもプリントできる場合には、ポップアップ画面にて画像データの格納場所を指定するか、媒体画像表示領域および注文画像表示領域のほかに、別途、格納場所を指定する領域を確保しなければならない。ポップアップ画面を表示する場合には、操作時において、ユーザの目線が移動するのでユーザビリティが低下するという課題がある。一方、格納場所を指定する領域を別途用意する場合には、画面が煩雑になるのでユーザビリティが低下するという課題がある。
【課題を解決するための手段】
【０００４】
上記課題を解決するために、本発明の第１の形態においては、印刷用画像表示方法であって、印刷装置で印刷する印刷用画像の入力を受け付けることにより、印刷装置による印刷用画像の印刷の注文が受け付けられた旨を示す注文受付情報を生成する注文受付手順と、印刷用画像を注文受付情報に対応付けて注文格納部に格納する注文格納手順と、外部記憶媒体に記憶された印刷用画像を読み込む読込手順と、印刷用画像の選択を受け付ける印刷用画像選択領域、および、印刷用画像選択領域で選択された印刷用画像のサムネイルを表示するサムネイル表示領域を並べて表示する入出力画面を画面格納部に格納する画面格納手順と、注文格納部に格納された印刷用画像のサムネイルを表示させる場合は、入出力画面の印刷用画像選択領域に注文格納部に格納された注文受付情報を一覧表示し、一覧表示された注文受付情報から一の注文受付情報の選択を受け付けて、注文受付情報に対応付けて注文格納部に格納された印刷用画像のサムネイルを受付画面のサムネイル表示領域に表示する一方、外部記憶媒体に記憶された印刷用画像のサムネイルを表示させる場合は、入出力画面の印刷用画像選択領域にツリービューにおける一のフォルダとして読込手順により読み込まれた外部記憶媒体を示すフォルダを表示し、ツリービューから外部記憶媒体を示すフォルダの選択を受け付けて、外部記憶媒体に記憶された印刷用画像のサムネイルを受付画面のサムネイル表示領域に表示する入出力手順とを備える。これにより、注文格納部に格納された印刷用画像のサムネイルを表示させる場合と、外部記憶媒体に記憶された印刷用画像のサムネイルを表示させる場合とが共通のＧＵＩとなるので、ユーザビリティが向上し、ユーザのシームレスな操作を実現させることができる。例えば、所定の受付処理が完了して注文格納部に格納された印刷用画像と所定の受付処理を通していない外部記憶媒体に記憶された印刷用画像と共通の作業手順で作業させることができる。
【０００５】
印刷用画像を印刷させる旨の入力を受け付けて、印刷装置に印刷用画像を出力する印刷指示受付手順をさらに備え、注文格納手順は、印刷用画像が印刷されたか否かを示す印刷有無情報をさらに注文格納部に格納し、印刷指示受付手順により印刷装置に印刷用画像が出力された場合に、印刷用画像に対応付けて印刷がされた旨を示す印刷有無情報を注文格納部に格納し、入出力手順は、印刷がされていない印刷用画像のサムネイルを表示させる場合は、入出力画面の印刷用画像選択領域に印刷がされていない旨を示す印刷有無情報に対応付けて注文格納部に格納された注文受付情報を一覧表示する一方、印刷がされた印刷用画像のサムネイルを表示させる場合には、入出力画面の印刷用画像選択領域に印刷がされた旨を示す印刷有無情報に対応付けて注文格納部に格納された注文受付情報を一覧表示する。これにより、印刷がされていない印刷用画像のサムネイルを表示させる場合と、印刷がされた印刷用画像のサムネイルを表示させる場合とが共通のＧＵＩとなるので、ユーザビリティが向上し、ユーザのシームレスな操作を実現させることができる。
【０００６】
上記課題を解決するために、本発明の第２の形態においては、印刷装置で印刷する印刷用画像の入力を受け付けることにより、印刷装置による印刷用画像の印刷の注文が受け付けられた旨を示す注文受付情報を生成する注文受付手順と、印刷用画像を印刷させる旨の入力を受け付けて、印刷装置に印刷用画像を出力する印刷指示受付手順と、受付手順により入力が受け付けられた印刷用画像に対応付けて、注文受付情報、および、印刷用画像が印刷されたか否かを示す印刷有無情報を注文格納部に格納し、印刷指示受付手順により印刷装置に印刷用画像が出力された場合に、印刷用画像に対応付けて印刷がされた旨を示す印刷有無情報を注文格納部に格納する注文格納手順と、印刷用画像の選択を受け付ける印刷用画像選択領域、および、印刷用画像選択領域で選択された印刷用画像のサムネイルを表示するサムネイル表示領域を並べて表示する入出力画面を画面格納部に格納する画面格納手順と、印刷がされていない印刷用画像のサムネイルを表示させる場合は、入出力画面の印刷用画像選択領域に印刷がされていない旨を示す印刷有無情報に対応付けて注文格納部に格納された注文受付情報を一覧表示し、一覧表示された注文受付情報から一の注文受付情報の選択を受け付けて、注文受付情報に対応付けて注文格納部に格納された印刷用画像のサムネイルを受付画面のサムネイル表示領域に表示する一方、印刷がされた印刷用画像のサムネイルを表示させる場合には、入出力画面の印刷用画像選択領域に印刷がされた旨を示す印刷有無情報に対応付けて注文格納部に格納された注文受付情報を一覧表示し、一覧表示された注文受付情報から一の注文受付情報の選択を受け付けて、注文受付情報に対応付けて注文格納部に格納された印刷用画像のサムネイルを受付画面のサムネイル表示領域に表示する入出力手順とを備える。これにより、印刷がされていない印刷用画像のサムネイルを表示させる場合と、印刷がされた印刷用画像のサムネイルを表示させる場合とが共通のＧＵＩとなるので、ユーザビリティが向上し、ユーザのシームレスな操作を実現させることができる。
【０００７】
上記課題を解決するために、本発明の第３の形態においては、印刷装置で印刷する印刷用画像の入力を受け付けることにより、印刷装置による印刷用画像の印刷の注文が受け付けられた旨を示す注文受付情報を生成する受付端末から印刷用画像を取得する印刷用画像表示装置であって、印刷用画像を注文受付情報に対応付けて格納する注文格納部と、外部記憶媒体に記憶された印刷用画像を読み込む読込部と、印刷用画像の選択を受け付ける印刷用画像選択領域、および、印刷用画像選択領域で選択された印刷用画像のサムネイルを表示するサムネイル表示領域を並べて表示する入出力画面を格納する画面格納部と、注文格納部に格納された印刷用画像のサムネイルを表示させる場合は、入出力画面の印刷用画像選択領域に注文格納部に格納された注文受付情報を一覧表示し、一覧表示された注文受付情報から一の注文受付情報の選択を受け付けて、注文受付情報に対応付けて注文格納部に格納された印刷用画像のサムネイルを受付画面のサムネイル表示領域に表示する一方、外部記憶媒体に記憶された印刷用画像のサムネイルを表示させる場合は、入出力画面の印刷用画像選択領域にツリービューにおける一のフォルダとして読込部により読み込まれた外部記憶媒体を示すフォルダを表示し、ツリービューから外部記憶媒体を示すフォルダの選択を受け付けて、外部記憶媒体に記憶された印刷用画像のサムネイルを受付画面のサムネイル表示領域に表示する入出力部とを備える。これにより、第１の形態と同一の効果を得ることができる。
【０００８】
上記課題を解決するために、本発明の第４の形態においては、印刷装置で印刷する印刷用画像の入力を受け付けることにより、印刷装置による印刷用画像の印刷の注文が受け付けられた旨を示す注文受付情報を生成する受付端末から印刷用画像を取得する印刷用画像表示装置を制御するプログラムであって、印刷用画像表示装置に、印刷用画像を注文受付情報に対応付けて注文格納部に格納する注文格納手順、外部記憶媒体に記憶された印刷用画像を読み込む読込手順、印刷用画像の選択を受け付ける印刷用画像選択領域、および、印刷用画像選択領域で選択された印刷用画像のサムネイルを表示するサムネイル表示領域を並べて表示する入出力画面を画面格納部に格納する画面格納手順、および、注文格納部に格納された印刷用画像のサムネイルを表示させる場合は、入出力画面の印刷用画像選択領域に注文格納部に格納された注文受付情報を一覧表示し、一覧表示された注文受付情報から一の注文受付情報の選択を受け付けて、注文受付情報に対応付けて注文格納部に格納された印刷用画像のサムネイルを受付画面のサムネイル表示領域に表示する一方、外部記憶媒体に記憶された印刷用画像のサムネイルを表示させる場合は、入出力画面の印刷用画像選択領域にツリービューにおける一のフォルダとして読込手順により読み込まれた外部記憶媒体を示すフォルダを表示し、ツリービューから外部記憶媒体を示すフォルダの選択を受け付けて、外部記憶媒体に記憶された印刷用画像のサムネイルを受付画面のサムネイル表示領域に表示する入出力手順を実行させる。これにより、第１の形態と同一の効果を得ることができる。
【０００９】
なお、上記の発明の概要は、本発明の必要な特徴の全てを列挙したものではなく、これらの特徴群のサブコンビネーションもまた、発明となりうる。
【発明を実施するための最良の形態】
【００１０】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１１】
図１は、キオスク端末１０、パーソナルコンピュータ２０、プリンタ３０の一例を示す。キオスク端末１０は、プリンタ３０で印刷する印刷用画像の入力を受け付ける受付端末の一例であって、印刷用画像の入力を受け付けたときは、プリンタ３０による印刷用画像の印刷の注文が受け付けられた旨を示す注文受付情報を生成する。例えば、キオスク端末１０は、ユーザが持参した印刷用画像を所定の手順で読み込むとともに、当該手順において注文受付番号を採番する。注文受付番号は、注文受付情報の一例である。キオスク端末１０は、注文受付番号に対応付けて入力を受け付けた印刷用画像を一時記憶する。また、キオスク端末１０は、ネットワーク６０を介してパーソナルコンピュータ２０と接続する。
【００１２】
パーソナルコンピュータ２０は、キオスク端末１０が入力を受け付けた印刷用画像を取得する印刷用画像表示装置の一例であって、本体２２と、当該本体２２からの出力に基づいてユーザに対して表示をするディスプレイ２４と、本体２２に対するユーザからの入力手段の一例としてのキーボード２６及びマウス２８と、外部記憶媒体５２を挿入または装着する外部記憶媒体挿入口４２とを備える。例えば、パーソナルコンピュータ２０は、ネットワーク６０を介して、キオスク端末１０から注文受付番号に対応付けて印刷用画像を受信する。また、パーソナルコンピュータ２０は、キオスク端末１０から印刷用画像を受信して取得することに加え、外部記憶媒体５２に記憶された印刷用画像を読み出して取得する。また、パーソナルコンピュータ２０は、ネットワーク６２を介してプリンタ３０と接続する。なお、外部記憶媒体５２の一例は、ＵＳＢメモリである。
【００１３】
プリンタ３０は、印刷装置の一例であって、本体３２と、当該本体３２からの出力に基づいてユーザに対して表示をするディスプレイ３４と、本体３２に対するユーザからの入力手段の一例としての操作パネル３６とを供える。
【００１４】
なお、パーソナルコンピュータ２０はキオスク端末１０の上記機能を備えてもよい。すなわちパーソナルコンピュータ２０は、プリンタ３０で印刷する印刷用画像の入力を受け付け、受け付けた入力に対応付けて注文受付番号を生成してもよい。また、キオスク端末１０、パーソナルコンピュータ２０およびプリンタ３０は写真をプリントする店舗に設置されてもよい。
【００１５】
図２は、パーソナルコンピュータ２０のブロック図の一例を示す。図３、図４および図５は、入出力画面３００の表示内容の一例を示す。図６は、注文格納部１００に格納された情報の一例を示す。パーソナルコンピュータ２０は、図２に示すように、注文格納部１００、画面格納部１１０、読込部１２０、入出力部１３０および印刷指示受付部１４０を備える。パーソナルコンピュータ２０は、図３、４、５に示す入出力画面３００をディスプレイ２４に表示する。
【００１６】
注文格納部１００は、注文受付番号に対応付けて、少なくとも、印刷用画像、印刷用画像が印刷されたか否かを示す印刷有無情報を格納する。図６に示す例において注文格納部１００は、注文受付番号「２００７／３／１０−００２」に対応付けて、受付日時「２００７．３．１０  １０：４５」、受付端末「キオスク端末１０」、印刷用画像、印刷がされていない旨を示す印刷有無情報「０」を格納する。なお、注文受付番号に加え、受付日時、受付端末は、注文受付情報の一例である。なお、注文格納部１００は、キオスク端末１０から上記印刷用画像等を取得して格納するが、印刷用画像等を取得したときに、当該印刷用画像に対応付けて印刷有無情報「０」を格納する。なお、注文格納部１００は、後述するように、印刷指示受付部１４０によりプリンタ３０に印刷用画像が出力されたときは、当該印刷用画像に対応付けて印刷がされた旨を示す印刷有無情報「１」を格納する。
【００１７】
画面格納部１１０は、印刷用画像の選択を受け付ける印刷用画像選択領域、および、印刷用画像選択領域で選択された印刷用画像のサムネイルを表示するサムネイル表示領域を並べて表示する入出力画面を格納する。図３、図４、図５に示す例において画面格納部１１０は、印刷用画像選択領域４００およびサムネイル表示領域５００を並べて表示する入出力画面３００を格納する。なお、印刷用画像選択領域４００は、受付端末タブ４１０、バックヤードタブ４２０および印刷済タブ４３０を有し、一覧表示選択領域４１２、ツリー表示選択領域４２４および一覧表示選択領域４３２を切り替えて表示する。
【００１８】
読込部１２０は、外部記憶媒体に記憶された印刷用画像を読み込む。図２に示す例において読込部１２０は、外部記憶媒体５２に記憶された印刷用画像を読み込む。
【００１９】
入出力部１３０は、画面格納部１１０に格納された入出力画面を表示するとともに、印刷がされていない旨を示す印刷有無情報に対応付けて注文格納部１００に格納された注文受付番号を印刷用画像選択領域に一覧表示する。図３に示す例において入出力部１３０は、画面格納部１１０に格納された入出力画面３００を表示するとともに、印刷用画像選択領域４００の受付端末タブ４１０の選択を受け付けた場合に、印刷有無情報「０」に対応付けて注文格納部１００に格納された注文受付番号「２００７／３／１０−００２」、「２００７／３／１１−００１」などを抽出し、印刷用画像選択領域４００の一覧表示選択領域４１２に一覧表示している。また、図３に示すように入出力部１３０は、注文受付番号「２００７／３／１０−００２」に対応付けて画面格納部１１０に格納された受付日時「２００７．３．１０  １０：４５」から受付時刻「１０：４５」を取得し、注文受付番号「２００７／３／１０−００２」に対応付けて一覧表示選択領域４１２に表示してもよい。同様に、入出力部１３０は、注文受付番号「２００７／３／１０−００２」に対応付けて画面格納部１１０に格納された受付端末「キオスク端末１０」を取得し、注文受付番号「２００７／３／１０−００２」に対応付けて一覧表示選択領域４１２に表示し、注文受付番号「２００７／３／１０−００２」に対応付けて画面格納部１１０に格納された印刷用画像の数を算出して取得し、注文受付番号「２００７／３／１０−００２」に対応付けて一覧表示選択領域４１２に表示してもよい。
【００２０】
さらに、入出力部１３０は、印刷がされていない旨を示す印刷有無情報に対応付けて注文格納部１００に格納された注文受付番号に加えて、印刷がされた旨を示す印刷有無情報に対応付けて注文格納部１００に格納された注文受付番号を印刷用画像選択領域に一覧表示する。図４に示す例において入出力部１３０は、画面格納部１１０に格納された入出力画面３００を表示するとともに、印刷用画像選択領域４００の印刷済タブ４３０の選択を受け付けた場合に、印刷有無情報「１」に対応付けて注文格納部１００に格納された注文受付番号「２００７／２／２−００１」などを抽出し、印刷用画像選択領域４００の一覧表示選択領域４３２に一覧表示している。また、入出力部１３０は、印刷がされていない旨を示す印刷有無情報に対応付けて注文格納部１００に格納された注文受付番号と同様に、注文受付番号に対応付けて受付時刻、受付場所および枚数を取得し、注文受付番号に対応付けて一覧表示選択領域４３２に表示してもよい。これにより、印刷がされていない印刷用画像のサムネイルを表示させる場合と、印刷がされた印刷用画像のサムネイルを表示させる場合とが共通のＧＵＩとなるので、ユーザビリティが向上し、ユーザのシームレスな操作を実現させることができる。
【００２１】
さらに、入出力部１３０は、注文格納部１００に格納された注文受付番号に加えて、読込部１２０により読み込まれた外部記憶媒体を示すフォルダをツリービューにおける一のフォルダとして印刷用画像選択領域に表示する。図４に示す例において入出力部１３０は、画面格納部１１０に格納された入出力画面３００を表示するとともに、印刷用画像選択領域４００のバックヤードタブ４２０の選択を受け付けた場合に、印刷用画像選択領域４００のツリー表示選択領域４２４に、読込部１２０により読み込まれた外部記憶媒体５２を示すフォルダをツリービューにおける一のフォルダとして表示している。これにより、注文格納部に格納された印刷用画像のサムネイルを表示させる場合と、外部記憶媒体に記憶された印刷用画像のサムネイルを表示させる場合とが共通のＧＵＩとなるので、ユーザビリティが向上し、ユーザのシームレスな操作を実現させることができる。
【００２２】
入出力部１３０は、印刷用画像選択領域に一覧表示された注文受付番号から一の注文受付番号の選択を受け付ける。図３に示す例において入出力部１３０は、印刷用画像選択領域４００の一覧表示選択領域４１２に一覧表示された各注文受付番号を表示する領域の選択を受け付けることにより、当該注文受付番号の選択を受け付ける。同様に、図４に示す例において入出力部１３０は、印刷用画像選択領域４００の一覧表示選択領域４３２に一覧表示された各注文受付番号を表示する領域を選択することにより、当該注文受付番号の選択を受け付ける。
【００２３】
入出力部１３０は、印刷用画像選択領域に一覧表示された注文受付番号から一の注文受付番号の選択を受け付けることに加えて、印刷用画像選択領域にツリービューにおける一のフォルダとして表示された外部記憶媒体を示すフォルダの選択を受け付ける。図５に示す例において入出力部１３０は、印刷用画像選択領域４００のツリー表示選択領域４２４に表示されたツリービューから外部記憶媒体５２を示すフォルダの選択を受け付ける。
【００２４】
入出力部１３０は、印刷用画像選択領域に一覧表示された注文受付番号から一の注文受付番号の選択を受け付けた場合は、当該注文受付番号に対応付けて注文格納部１００に格納された印刷用画像のサムネイルをサムネイル表示領域に表示する。図３に示す例において入出力部１３０は、印刷用画像選択領域４００の一覧表示選択領域４１２に一覧表示された注文受付番号から注文受付番号「２００７／３／１０−００２」の選択を受け付けて、注文受付番号「２００７／３／１０−００２」に対応付けて注文格納部１００に格納された印刷用画像のサムネイルをサムネイル表示領域５００に表示している。同様に、図４に示す例において入出力部１３０は、印刷用画像選択領域４００の一覧表示選択領域４３２に一覧表示された注文受付番号から注文受付番号「２００７／２／２−００１」の選択を受け付けて、注文受付番号「２００７／２／２−００１」に対応付けて注文格納部１００に格納された印刷用画像のサムネイルをサムネイル表示領域５００に表示している。
【００２５】
入出力部１３０は、印刷用画像選択領域にツリービューにおける一のフォルダとして表示された外部記憶媒体を示すフォルダの選択を受け付けた場合は、当該外部記憶媒体に記憶された印刷用画像のサムネイルをサムネイル表示領域に表示する。図５に示す例において入出力部１３０は、ツリー表示選択領域４２４に表示されたツリービューから外部記憶媒体５２を示すフォルダ「Ｐｈｏｔｏ２」の選択を受け付けて、外部記憶媒体５２に記憶された印刷用画像のサムネイルをサムネイル表示領域５００に表示している。また、入出力部１３０は、サムネイル表示領域に表示されているサムネイルから任意のサムネイルの選択を受け付ける。
【００２６】
印刷指示受付部１４０は、印刷用画像を印刷させる旨の入力を受け付ける。図３、図４、図５に示す例において例えば印刷指示受付部１４０は、入出力部１３０によりサムネイルが選択された後に、印刷ボタン６００が選択を受け付けることにより、当該サムネイルの印刷用画像を印刷させる旨の入力を受け付ける。また、印刷指示受付部１４０は、印刷用画像を印刷させる旨の入力を受け付けた場合は、プリンタ３０に当該印刷用画像を出力する。なお、注文格納部１００は、上述した通り、印刷指示受付部１４０によりプリンタ３０に印刷用画像が出力されたときは、当該印刷用画像に対応付けて格納されていた印刷有無情報「０」を印刷有無情報「１」に更新する。
【００２７】
なお、パーソナルコンピュータ２０は、キオスク端末１０の機能を備えてもよい。すなわちパーソナルコンピュータ２０は、注文格納部１００、画面格納部１１０、読込部１２０、入出力部１３０および印刷指示受付部１４０に加えて、プリンタ３０で印刷する印刷用画像の入力を受け付け、受け付けた入力に対応付けて注文受付番号を生成する非図示の受付部をさらに備えてもよい。なお、この場合、注文格納部１００は、受付部から印刷用画像等を取得して格納する。
【００２８】
記憶媒体７０は、注文格納部１００、画面格納部１１０、読込部１２０、入出力部１３０および印刷指示受付部１４０の動作を実行する画像処理に係るアプリケーションソフトウェア（以下、「本画像処理ソフト」という。）を記憶する。パーソナルコンピュータ２０は、記憶媒体７０に記憶された本画像処理ソフトをインストールすることにより、入出力部１３０等の動作を行わせてもよい。さらに、他の方法として、パーソナルコンピュータ２０は、本画像処理ソフトを、ネットワークを介して取得してもよい。
【００２９】
以上、本実施例よれば、注文格納部に格納された印刷用画像のサムネイルを表示させる場合と、外部記憶媒体に記憶された印刷用画像のサムネイルを表示させる場合とが共通のＧＵＩとなるので、ユーザビリティが向上し、ユーザのシームレスな操作を実現させることができる。例えば、所定の受付処理が完了して注文格納部に格納された印刷用画像と所定の受付処理を通していない外部記憶媒体に記憶された印刷用画像と共通の作業手順で作業させることができる。また、印刷がされていない印刷用画像のサムネイルを表示させる場合と、印刷がされた印刷用画像のサムネイルを表示させる場合とが共通のＧＵＩとなるので、ユーザビリティが向上し、ユーザのシームレスな操作を実現させることができる。
【００３０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３１】
【図１】キオスク端末１０、パーソナルコンピュータ２０、プリンタ３０の一例を示す。
【図２】パーソナルコンピュータ２０のブロック図の一例を示す。
【図３】入出力画面３００の表示内容の一例を示す。
【図４】入出力画面３００の表示内容の一例を示す。
【図５】入出力画面３００の表示内容の一例を示す。
【図６】注文格納部１００に格納された情報の一例を示す。
【符号の説明】
【００３２】
１０  キオスク端末、２０  パーソナルコンピュータ、２２  本体、２４  ディスプレイ、２６  キーボード、２８  マウス、３０  プリンタ、３２  本体、３４  ディスプレイ、３６  操作パネル、４２  外部記憶媒体挿入口、５２  外部記憶媒体、６０  ネットワーク、６２  ネットワーク、７０  記憶媒体、１００  注文格納部、１１０  画面格納部、１２０  読込部、１３０  入出力部、１４０  印刷指示受付部、３００  入出力画面、４００  印刷用画像選択領域、４１０  受付端末タブ、４１２  一覧表示選択領域、４２０  バックヤードタブ、４２４  ツリー表示選択領域、４３０  印刷済タブ、４３２  一覧表示選択領域、５００  サムネイル表示領域、６００  印刷ボタン
【図１】
2008210149.tif 000003
【図２】
2008210149.tif 000004
【図３】
2008210149.tif 000005
【図４】
2008210149.tif 000006
【図５】
2008210149.tif 000007
【図６】
2008210149.tif 000008